(57)【要約】【課題】  ふりかけのかけすぎを防止できるふりかけ容器を提供すること。【解決手段】  この発明のふりかけ容器１００は、ふりかけを入れる透明の容器１と、この容器１の上部に設けられ且つふりかけが出る穴１０を有する蓋２と、蓋２の側面に設けた電源スイッチ３と、蓋２に設けた振動センサー４と、音声を流すスピーカー５とを備え、蓋２の内部に所定の音声を記憶しておいてある記憶部と、振動センサー４の信号に基づいて前記記憶部から所定の音声を読みだし、スピーカー５から出すように制御する制御部と、電源とが設けられている。制御部は、振動センサー４からの信号により容器１の振動をカウントし、所定回数カウントしたら、前記記憶部から回数に対応した音声を読み出して、警告としてスピーカー５から流す。これにより、ふりかけのかけすぎを防止できる。【選択図】図１
2010155042.tif 000002
【特許請求の範囲】
【請求項１】
蓋を有し且つふりかけを入れる容器と、
振動を感知するセンサーと、
所定の音声を記憶する記憶部と、
音声を流すスピーカーと、
センサーの信号に基づいて容器を振った回数をカウントし、その回数に応じて前記記憶部から所定の音声を読み出し、前記スピーカーから流すように制御する制御部と、
を有することを特徴とするふりかけ容器。
【請求項２】
更に、前記制御部は、最後の容器の振りを感知した後に所定時間の経過をもってカウントをリセットするように制御することを特徴とする請求項１に記載のふりかけ容器。
【請求項３】
更に、前記カウントを強制的にリセットするスイッチを備えたことを特徴とする請求項１または２に記載のふりかけ容器。
【発明の詳細な説明】
【技術分野】
【０００１】  この発明は、ふりかけのかけすぎを防止するため、ふりかけの容器から所定の音声を出すようにしたふりかけ容器に関するものである。
【背景技術】
【０００２】  今までのふりかけ容器は、例えば特許文献１に開示されているように、ビンやプラスチック容器で上部蓋の部分に大きな出し口が簡単に付いているだけで、振れば振るだけふりかけが出るようになっていた。
【特許文献１】  実開平０５−０１９１６１号公報
【発明の開示】
【発明が解決しようとする課題】
【０００３】  従来のふりかけ容器では、振れば振るだけふりかけが出てくるため、ふりかけをかけすぎたり、適量かけるのに注意を要するという問題点があった。本発明は、以上の様な欠点を無くすために発明されたものである。
【課題を解決するための手段】
【０００４】  この発明にかかるふりかけ容器は、蓋を有し且つふりかけを入れる容器と、振動を感知するセンサーと、所定の音声を記憶する記憶部と、音声を流すスピーカーと、センサーの信号に基づいて容器を振った回数をカウントし、その回数に応じて前記記憶部から所定の音声を読み出し、前記スピーカーから流すように制御する制御部とを有することを特徴とする。【０００５】  また、この発明にかかるふりかけ容器は、上記発明において、前記制御部は、最後の容器の振りを感知した後に所定時間の経過をもってカウントをリセットするように制御することを特徴とする。【０００６】  また、この発明にかかるふりかけ容器は、上記発明において、更に、前記カウントを強制的にリセットするスイッチを備えたことを特徴とする。
【発明を実施するための最良の形態】
【０００７】（実施の形態１）
図１は、この発明の実施の形態１にかかるふりかけ容器を示す斜視図である。図２は、図１に示したふりかけ容器の構成図である。このふりかけ容器１００は、ふりかけを入れる透明の容器１と、この容器１の上部に設けられ且つふりかけが出る穴１０を有する蓋２と、蓋２の側面に設けた電源スイッチ３とを備えている。さらに、蓋２には、振動を感知する振動センサー４と、音声を流すスピーカー５とが設けられている。また、図２に示すように、蓋２には、所定の音声を記憶しておいてある記憶部６と、振動センサー４の信号に基づいて記憶部６から所定の音声を読みだし、スピーカー５から出すように制御する制御部７と、電池からなる電源８とを備えている。【０００８】  容器１は、ガラスまたはプラスチック製である。また、前記振動センサー４、記憶部６、制御部７及び電源８は、ふりかけに接触しないように、蓋２の内部に設けた収納部（図示省略）に収納される。【０００９】  次に、この発明のふりかけ容器１００の動作を説明する。ユーザは、ふりかけ容器１００を用いる場合、まず電源スイッチ３を入れ、ふりかけが出るように穴１０を開き、ふりかけ容器１００を振って内部のふりかけをご飯にかける。ここで、前記制御部７は、振動センサー４の信号により容器１の振動回数、即ちふりかけ容器１００を振った回数をカウントし、回数に応じて所定の音声を記憶部６から読み出し、スピーカー５から流す。例えば、制御部７は、振動センサー４の振動回数を５回カウントしたとき「かけすぎちゃうん」等の音声を記憶部６から読み出し、かけすぎの警報としてスピーカー５から当該音声を流す。また、引き続きふりかけ容器１００を振り続け、制御部７が合計で８回の振動をカウントすると、「もう、やめときー」等の音声を記憶部６から読みだし、かけすぎの警報としてスピーカー５から当該音声を流す。【００１０】  記憶部６には別の音声が多数記憶されており、例えば記憶する音声の一例としては、以下のようなものがある。当該音声は、子供にもわかりやすい、印象が強く且つリズム感があるものが好ましい。また、記憶部６に記憶されている各音声は、振動回数に対応付けて記憶されている。
（１）アニメ「北斗の拳」の主人公風の声で。
３回目  「かけすぎ。あたたたた。」
６回目  「かけかけかけかけすぎ。」
８回目以降  「おまえはもう、かけすぎている。」
（２）アニメ「プリキュア」の主人公風の声で。
３回目  「夢と希望のふりかけとともに。」
５回目以降  「イエス、かけすぎ。」
（３）赤ちゃん風の声で。
１回目  「ばぶ」
２回目  「ばぶばぶ」
３回目以降  「かけちゅぎだよ」
（４）成人男性向けとして、女性の声で。
１回目  「さあどうぞ。」
３回目  「ずいぶんかけるのね。」
５回目以降  「いいかげんにしてよ。」【００１１】  また、前記制御部７は、例えば５秒間、前記振動センサー４が振動を感知しなかった場合、ふりかけをかけるのが止んだと判断してカウントを自動的にリセットする。リセット後、制御部７は、ふりかけ容器１００の振動回数を改めて１回目からカウントし直す。これにより、回数カウントの誤りを防止できる。なお、前記リセットに要する時間は、前記５秒間以外にも８秒間や１０秒間等、適宜設定できる。なお、図１に示すように、蓋２の上面に強制的にカウントをリセットするリセットスイッチ９を設けてもよい。このようにすれば、次のユーザがふりかけを用いる場合でも、リセットのための時間を待つことなく、すぐに使用できる。【００１２】  以上、この実施の形態１にかかるふりかけ容器１００によれば、ふりかけのかけすぎを音声により知らせてもらえるので、ふりかけのかけすぎを防止でき且つ楽しくふりかけをかけることができる。また、ご飯にふりかけをかけるのが楽しくなるから、当該ふりかけ容器１００の普及により米の消費量が増え、日本人の米離れを防止できるようになる。【００１３】  なお、リセットスイッチ９のみによってふりかけ回数のカウントをリセットできるようにしてもよい。このようにすれば、例えばご飯をおかわりする場合のように、一定の時間をおいて同じユーザがふりかけ容器１００を用いる場合でも、全ふりかけ回数に基づいて所定音声を出すことができる。そして、次のユーザが用いるときには、リセットスイッチ９を押すことで、今までのカウントをリセットすれば良い。【００１４】（実施の形態２）
図３は、この発明の実施の形態２にかかるふりかけ容器を示す斜視図である。図４は図３に示したふりかけ容器の構造図である。このふりかけ容器２００は、ふりかけを入れる透明な容器１と、この容器１の上部に設けられたふりかけが出る穴１０を有する蓋２と、さらに容器１の底部ユニット２１の側面に設けた電源スイッチ２３と、音声を流すスピーカー２４が設けられている。また、図４に示すように、底部ユニット２１には、所定の音声を記憶しておいてある記憶部６と、振動センサー４の信号に基づいて記憶部６から所定の音声を読みだし、スピーカー５から出すように制御する制御部７と、電池からなる電源８とを備えている。【００１５】  また、底部ユニット２１の底面には、ふりかけ容器２００が使用中か否かを判断するためのスイッチ２５が設けられている。このスイッチ２５は、ふりかけ容器２００を持ち上げている場合には、突起２６が底面から垂直に下方に突出しており、ふりかけ容器２００を机上に置いたときには、突起２６が底部ユニット２１内に引っ込む構造である。スイッチ２６のオン・オフ信号は制御部７に送られる。【００１６】  次に、この発明のふりかけ容器２００の動作を説明する。ユーザは、ふりかけ容器２００を用いる場合、まず電源スイッチ２３を入れ、ふりかけが出るように穴１０を開き、ふりかけ容器２００を振って内部のふりかけをご飯にかける。ここで、前記制御部７は、振動センサー２４の信号により容器１の振動回数、即ちふりかけ容器２００を振った回数をカウントし、回数に応じて所定の音声を記憶部６から読み出し、スピーカー２４から流す。例えば、制御部７は、振動センサー４の振動回数を４回カウントしたとき「かけすぎちゃうか」等の音声を記憶部６から読み出し、かけすぎの警報としてスピーカー２４から当該音声を流す。また、引き続きふりかけ容器２００を振り続け、制御部７が合計で６回の振動をカウントすると、「ええかげんいせーよ」等の音声を記憶部６から読みだし、かけすぎの警報としてスピーカー２４から当該音声を流す。【００１７】  また、制御部７は、ふりかけ容器２００を机上に置くことで前記突起２６が引っ込むと、ふりかけ容器２００の使用が終了したと判断し、前記カウントを強制的かつ自動的にリセットする。リセット後、制御部７は、ふりかけ容器２００の振動回数を改めて１回目からカウントし直す。このようにすれば、ふりかけ容器２００を机上に置くことで強制的かつ自動的にリセットされて、すぐに次のユーザがふりかけ容器２００を使用できるようになる。【００１８】  また、前記電源スイッチ２３の機能を前記スイッチ２６に持たせても良い。即ち、ふりかけ容器２００を持ち上げてスイッチ２６の突起２５が突出したときに自動的に電源をオンし、一方、スイッチ２６を机上に置くことでスイッチ２６の突起２５が容器１内に引っ込んだときに自動的に電源をオフするようにできる。【００１９】  以上、この実施の形態２にかかるふりかけ容器２００によれば、ふりかけのかけすぎを音声により知らせてもらえるので、ふりかけのかけすぎを防止でき且つ楽しくふりかけをかけることができる。また、スイッチ２６が電源の機能を併有する場合、電源のオン・オフ動作を不要にできるので、ふ��かけ容器２００が使い易いものとなる。
【図面の簡単な説明】
【図１】  この発明の実施の形態１にかかるふりかけ容器を示す斜視図である。
【図２】  図１に示したふりかけ容器の構成図である。
【図３】  この発明の実施の形態２にかかるふりかけ容器を示す斜視図である。
【図４】  図３に示したふりかけ容器の構造図である。
【符号の説明】
【００２０】１００、ふりかけ容器
１  容器
２  蓋
３  電源スイッチ
４  振動センサー
５  スピーカー
６  記憶部
７  制御部
【図１】
2010155042.tif 000003
【図２】
2010155042.tif 000004
【図３】
2010155042.tif 000005
【図４】
2010155042.tif 000006